(57)【特許請求の範囲】
【請求項１】
冷蔵庫本体と、外部の通信手段と接続させるための通信接続手段と、この通信接続手段と接続され、オペレーティングシステムを含むソフトウェアが実行可能に構成された第１の演算処理手段と、前記通信接続手段と接続され、制御演算が実行可能に構成された第２の演算処理手段とから構成されており、前記通信接続手段は、外部のネットワークに接続させると共に、通信中の障害等を検出制御する構成となっており、前記第１の演算処理手段には、画像入力手段、音声入出力手段、ディスプレイ手段、入力手段の少なくとも１つが接続されており、前記第１の演算処理手段は、前記画像入力手段からの画像信号に基づき画像取り込み処理を実行し、前記音声入出力手段を駆動して音声再生処理を実行し、前記ディスプレイ手段を駆動して外部のネットワークから取り込んだデータ等を表示し、前記入力手段から入力された使用者の命令、データ等を認識するネットワーク性のある処理を行う様になっており、前記第２の演算処理手段には、キーボード、スイッチ等の入力装置、電源部、照明装置の少なくとも１つが接続されており、前記第２の演算処理手段は、前記入力装置を制御処理して、リセット、終了等の命令を認識し、前記電源部を制御処理し、前記照明装置を制御処理して照明の点灯制御を行うリアルタイム性のある処理を行う様になっており、前記第１の演算処理手段に接続された前記入力手段により、必要なデータが入力されると、前記第１の演算処理手段が、前記通信接続手段を介して外部のネットワークに接続し、外部のネットワークから取り込まれたデータ等を、前記第１の演算処理手段が、前記ディスプレイ手段に表示するネットワーク性のある処理を行い、前記第２の演算処理手段がリアルタイム性のある処理を行うことを特徴とする通信機能付き冷蔵庫。
【請求項２】
第２の演算処理手段には、虹体（ＩＲＩＳ）パターンの濃淡変化を比較することにより、個人照合を行う認証手段が接続されている請求項１記載の通信機能付き冷蔵庫。
【請求項３】
第１の演算処理手段には、外部の端末手段が接続可能に構成されている請求項１〜２の何れか１つに記載の通信機能付き冷蔵庫。
【請求項４】
第２の演算処理手段には、外部の電話機が接続可能に構成されている請求項１〜３の何れか１つに記載の通信機能付き冷蔵庫。
【発明の詳細な説明】
【０００１】
【発明の属する技術分野】
本発明は、インターネット等の外部のネットワークに接続可能な冷蔵庫に係わり、特に、演算処理手段をネットワーク性のある部分とリアルタイム性のある部分とに分離して、効率的な処理が可能な通信機能付き冷蔵庫に関するものである。
【０００２】
【従来の技術】
従来から、インターネット等のネットワークが急速に普及しており、パーソナルコンピュータを使用した通信が盛んである。
【０００３】
【発明が解決しようとする課題】
しかしながら、パーソナルコンピュータを使用したネットワークとの接続は、初心者には多くの困難が伴っている上、設置スペース等も必要となるという問題点があった。
【０００４】
従って初心者にとっては、取っつき難く、飽きやすいという問題点があった。
【０００５】
よって、どこの家庭にも存在している家電製品と、インターネット端末とが融合された商品の開発が強く望まれていた。
【０００６】
【課題を解決するための手段】
本発明は上記課題に鑑み案出されたもので、冷蔵庫本体と、外部の通信手段と接続させるための通信接続手段と、この通信接続手段と接続され、オペレーティングシステムを含むソフトウェアが実行可能に構成された第１の演算処理手段と、前記通信接続手段と接続され、制御演算が実行可能に構成された第２の演算処理手段とから構成されており、前記通信接続手段は、外部のネットワークに接続させると共に、通信中の障害等を検出制御する構成となっており、前記第１の演算処理手段には、画像入力手段、音声入出力手段、ディスプレイ手段、入力手段の少なくとも１つが接続されており、前記第１の演算処理手段は、前記画像入力手段からの画像信号に基づき画像取り込み処理を実行し、前記音声入出力手段を駆動して音声再生処理を実行し、前記ディスプレイ手段を駆動して外部のネットワークから取り込んだデータ等を表示し、前記入力手段から入力された使用者の命令、データ等を認識するネットワーク性のある処理を行う様になっており、前記第２の演算処理手段には、キーボード、スイッチ等の入力装置、電源部、照明装置の少なくとも１つが接続されており、前記第２の演算処理手段は、前記入力装置を制御処理して、リセット、終了等の命令を認識し、前記電源部を制御処理し、前記照明装置を制御処理して照明の点灯制御を行うリアルタイム性のある処理を行う様になっており、前記第１の演算処理手段に接続された前記入力手段により、必要なデータが入力されると、前記第１の演算処理手段が、前記通信接続手段を介して外部のネットワークに接続し、外部のネットワークから取り込まれたデータ等を、前記第１の演算処理手段が、前記ディスプレイ手段に表示するネットワーク性のある処理を行い、前記第２の演算処理手段がリアルタイム性のある処理を行うことを特徴としている。
【００１１】
そして本発明の第２の演算処理手段には、虹体（ＩＲＩＳ）パターンの濃淡変化を比較することにより、個人照合を行う認証手段が接続されている構成にすることもできる。
【００１２】
また本発明の第１の演算処理手段には、外部の端末手段が接続可能に構成することもできる。
【００１３】
更に本発明の第２の演算処理手段には、外部の電話機が接続可能に構成することもできる。
【００１４】
【発明の実施の形態】
以上の様に構成された本発明は、冷蔵庫本体を備え、通信接続手段が外部の通信手段と接続させ、この通信接続手段と接続された第１の演算処理手段が、オペレーティングシステムを含むソフトウェアを実行可能とし、通信接続手段と接続された第２の演算処理手段が、制御演算が実行可能とし、通信接続手段が、外部のネットワークに接続させると共に、通信中の障害等を検出制御する様になっており、第１の演算処理手段には、画像入力手段、音声入出力手段、ディスプレイ手段、入力手段の少なくとも１つが接続されており、第１の演算処理手段が、画像入力手段からの画像信号に基づき画像取り込み処理を実行し、音声入出力手段を駆動して音声再生処理を実行し、ディスプレイ手段を駆動して外部のネットワークから取り込んだデータ等を表示し、入力手段から入力された使用者の命令、データ等を認識するネットワーク性のある処理を行う様になっており、第２の演算処理手段には、キーボード、スイッチ等の入力装置、電源部、照明装置の少なくとも１つが接続されており、第２の演算処理手段が、入力装置を制御処理して、リセット、終了等の命令を認識し、電源部を制御処理し、照明装置を制御処理して照明の点灯制御を行うリアルタイム性のある処理を行う様になっており、第１の演算処理手段に接続された入力手段により、必要なデータが入力されると、第１の演算処理手段が、通信接続手段を介して外部のネットワークに接続し、外部のネットワークから取り込まれたデータ等を、第１の演算処理手段が、ディスプレイ手段に表示するネットワーク性のある処理を行い、第２の演算処理手段がリアルタイム性のある処理を行うことができる。
【００１９】
そして本発明の第２の演算処理手段には、虹体（ＩＲＩＳ）パターンの濃淡変化を比較することにより、個人照合を行う認証手段を接続することもできる。
【００２０】
また本発明の第１の演算処理手段には、外部の端末手段を接続することもできる。
【００２１】
更に本発明の第２の演算処理手段には、外部の電話機を接続することもできる。
【００２２】
【実施例】
【００２３】
本発明の実施例を図面に基づいて説明する。
【００２４】
図１は、本実施例の通信機能付き冷蔵庫１０００の構成を示すもので、通信接続手段１００と、第１の演算処理手段２００と、第２の演算処理手段３００とから構成されている。
【００２５】
通信接続手段１００は、インターネット等の外部のネットワーク２０００に接続させると共に、端末監視を行うものである。通信接続手段１００は、通信中の障害等を検出制御することができる。
【００２６】
第１の演算処理手段２００は、オペレーティングシステムを含むソフトウェアが実行可能に構成されている。本実施例のオペレーティングシステムは、ｗｉｎｄｏｗｓＮＴが採用されているが、ｗｉｎｄｏｗｓ９５、ｗｉｎｄｏｗｓ９８等、適宜のオペレーティングシステムを使用することができる。
【００２７】
第１の演算処理手段２００は、画面処理、画像取り込み処理、音声再生処理、通信処理、プリンタ処理の少なくとも１つを実行する構成にすることもできる。
【００２８】
この第１の演算処理手段２００には、通信モジュール２１０と、画像入力手段２２０と、音声入出力手段２３０と、スキャナー２４０と、ディスプレイ手段２５０と、入力手段に該当するタッチパネル２６０と、プリンタ２７０とが接続されている。
【００２９】
通信モジュール２１０は、例えばＣＡＴＶモデム等であり、ＨＡＢ等を介してテレビゲーム装置やパーソナルコンピュータと接続させることもできる。なお、テレビゲーム装置とパーソナルコンピュータとは、外部の端末手段３０００に該当するものである。
【００３０】
画像入力手段２２０は、本実施例では、ＣＣＤを利用したテレビカメラと、ビデオキャプチャーボードとから構成されているが、画像を取り込み可能であれば、何れの素子等を利用することができる。画像入力手段２２０から、使用者の顔等を入力することができる。
【００３１】
音声入出力手段２３０は、本実施例では、入力手段にマイクロホンが使用され、出力手段は、低周波増幅器を介してスピーカーを駆動させている。なお、入力手段に適宜の音声認識手段を接続することもできる。
【００３２】
スキャナー２４０は、スキャナーコントローラーを介して、画像を取り込むことができる。
【００３３】
ディスプレイ手段２５０は、インターネット等の外部のネットワーク２０００から取り込んだデータ等を表示するものであり、本実施例では、液晶パネルが使用されている。ディスプレイ手段２５０は液晶パネルに限らず、何れの表示手段を採用されている。
【００３４】
タッチパネル２６０は、使用者が、命令やデータを入力するためのものであり、本実施例では、ＲＳ−２３２を介してデータ等を入力している。
【００３５】
プリンタ２７０は、インターネット等の外部のネットワーク２０００から取り込んだデータ等を印刷するものである。なお、このプリンタ２７０はオプションとすることもできる。
【００３６】
第２の演算処理手段３００は、制御演算を実行するためのもので、本実施例では、３２ビットの制御用ＲＩＳＣが採用されている。第２の演算処理手段３００は、リアルタイム処理を実行するためのもので、キーボード３５０、スイッチ３１０等の入力装置の制御処理、電源部３３０の制御処理、照明装置３２０の制御処理等を行うものである。
【００３７】
この第２の演算処理手段３００には、スイッチ３１０と、照明装置３２０と、電源部３３０と、認証手段３４０と、キーボード３５０と、電話機３６０とが接続されている。
【００３８】
スイッチ３１０は、リセット、メンテナンス、終了等のスイッチであり、照明装置３２０は、内蔵する蛍光灯等であり、第２の演算処理手段３００により蛍光灯の点灯制御等を行うことができる。
【００３９】
電源部３３０は、スイッチング電源等であり、第２の演算処理手段３００は、不慮の停電等によるシステムクラッシュを防止するＵＰＳの制御も行っている。
【００４０】
認証手段３４０は、虹体（ＩＲＩＳ）パターンの濃淡変化を比較することにより、個人照合を行ものである。虹体（ＩＲＩＳ）パターンの濃淡変化により、使用者を特定することが可能である。この認証手段３４０は、オプションとすることができる。
【００４１】
キーボード３５０は、命令、データ等を入力するためのもので、特に、起動時に必要なデータを入力するものである。
【００４２】
電話機３６０は、ＰＨＳや携帯電話等であり、地域イントラＮＯＣとして使用することができる。この電話機３６０はオプションとすることができる。
【００４３】
以上の様に構成された本実施例は、冷蔵庫の機能と共に、インターネット等のネットワーク２０００の端末としての機能を果たすことができる。
【００４４】
即ち、第１の演算処理手段２００に接続されたタッチパネル２６０等により、必要なデータが入力されると、第１の演算処理手段２００が、通信接続手段１００を介してインターネット等の外部のネットワーク２０００に接続させることができる。そしてインターネット等から取り込まれたデータ等を、第１の演算処理手段２００が、ディスプレイ手段２５０やプリンタ２７０等に出力することもできる。
【００４５】
【効果】
以上の様に構成された本発明は、冷蔵庫本体と、外部の通信手段と接続させるための通信接続手段と、この通信接続手段と接続され、オペレーティングシステムを含むソフトウェアが実行可能に構成された第１の演算処理手段と、前記通信接続手段と接続され、制御演算が実行可能に構成された第２の演算処理手段とから構成されており、前記通信接続手段は、外部のネットワークに接続させると共に、通信中の障害等を検出制御する構成となっており、前記第１の演算処理手段には、画像入力手段、音声入出力手段、ディスプレイ手段、入力手段の少なくとも１つが接続されており、前記第１の演算処理手段は、前記画像入力手段からの画像信号に基づき画像取り込み処理を実行し、前記音声入出力手段を駆動して音声再生処理を実行し、前記ディスプレイ手段を駆動して外部のネットワークから取り込んだデータ等を表示し、前記入力手段から入力された使用者の命令、データ等を認識するネットワーク性のある処理を行う様になっており、前記第２の演算処理手段には、キーボード、スイッチ等の入力装置、電源部、照明装置の少なくとも１つが接続されており、前記第２の演算処理手段は、前記入力装置を制御処理して、リセット、終了等の命令を認識し、前記電源部を制御処理し、前記照明装置を制御処理して照明の点灯制御を行うリアルタイム性のある処理を行う様になっており、前記第１の演算処理手段に接続された前記入力手段により、必要なデータが入力されると、前記第１の演算処理手段が、前記通信接続手段を介して外部のネットワークに接続し、外部のネットワークから取り込まれたデータ等を、前記第１の演算処理手段が、前記ディスプレイ手段に表示するネットワーク性のある処理を行い、前記第２の演算処理手段がリアルタイム性のある処理を行う構成を有するので、家電製品とインターネット端末とが融合された商品を提供することができるという卓越した効果がある。
【００４６】
そして、第１の演算処理手段は、ネットワーク性のある処理を行う様に構成されており、第２の演算処理手段は、リアルタイム性のある処理を行う様に構成されているので、インターネット等の外部のネットワークと本格的に接続することができ、リアルタイム処理を行う演算処理手段を別個独立させているので、効率的な処理を行うことができるという卓越した効果がある。
【００４７】
【図面の簡単な説明】
【図１】本発明の実施例である通信機能付き冷蔵庫の構成を説明する図である。
【符号の説明】
１０００  通信機能付き冷蔵庫
２０００  ネットワーク
３０００  外部の端末手段
１００  通信接続手段
２００  第１の演算処理手段
２１０  通信モジュール
２２０  画像入力手段
２３０  音声入出力手段
２４０  スキャナー
２５０  ディスプレイ手段
２６０  タッチパネル
２７０  プリンタ
３００  第２の演算処理手段
３１０  スイッチ
３２０  照明装置
３３０  電源部
３４０  認証手段
３５０  キーボード
３６０  電話機
【図１】
0004336841.tif 000002